(57)【要約】      （修正有）【課題】音声情報の提供と被観察体とを技術的に連携させた案内装置を提供する。【解決手段】本被観察体案内装置１００は、音声を第１電気信号に変換する音声電気変換装置１３と、音声電気変換装置１３から出力されたその第１電気信号を重畳させた４００ｎｍ以上１０００ｎｍ以下の波長の電磁波を被観察体３０及び／又はその被観察体３０に対応した反射体に向けて照射する電磁波照射装置１５と、前述の被観察体及び／又は前述の反射体からの反射電磁波を受けて第２電気信号に変換する受信装置２１と、その第２電気信号を音声信号に変換する電気音声変換装置２５とを備えている。【選択図】図２
0003165942.tif 000002
【実用新案登録請求の範囲】
【請求項１】
音声を第１電気信号に変換する音声電気変換装置と、
前記音声電気変換装置から出力された前記第１電気信号を重畳させた４００ｎｍ以上１０００ｎｍ以下の波長の電磁波を、被観察体及び／又は前記被観察体に対応した反射体に向けて照射する電磁波照射装置と、
前記被観察体及び／又は前記反射体からの反射電磁波を受けて第２電気信号に変換する受信装置と、
前記第２電気信号を音声信号に変換する電気音声変換装置とを備える、
被観察体案内装置。
【請求項２】
前記第１電気信号は互いに異なる複数の音声が変換された複数の電気信号群であり、かつ
前記受信装置が、前記反射電磁波のうち、ある１つの前記第１電気信号を選択して前記第２電気信号に変換する、
請求項１に記載の被観察体案内装置。
【請求項３】
前記電磁波が、可視光領域の電磁波である、
請求項１又は請求項２に記載の被観察体案内装置。
【請求項４】
前記第１電気信号は互いに異なる複数の音声が変換された複数の電気信号群であり、
前記電磁波照射装置が、それぞれの前記第１電気信号に対応して、複数の互いに異なる波長の可視光領域の電磁波を、前記被観察体及び／又は前記被観察体に対応した前記反射体に向けて照射し、かつ
前記受信装置が、前記反射電磁波のうち、ある１つの前記第１電気信号を選択して前記第２電気信号に変換する、
請求項１に記載の被観察体案内装置。
【請求項５】
前記電磁波照射装置が、発光ダイオードであり、かつ
前記受信装置が、光学フィルターを備えることにより、前記反射電磁波のうち、ある１つの前記第１電気信号を選択して前記第２電気信号に変換する、
請求項２又は請求項４に記載の被観察体案内装置。
【考案の詳細な説明】
【技術分野】
【０００１】
本考案は、観察対象となる物に向けて照射する音声の重畳された電磁波の反射を利用して、音声案内を行う被観察体案内装置に関するものである。
【背景技術】
【０００２】
従来から、建造物や屋内外の展示物を観察する者に対して、それらの歴史や特長などを説明するために、既に記録された音声情報を提供する装置が広く用いられている。それら（以下、「被観察体」という。）の音声情報は、有線又は無線によって観察者ないし見学者（以下、総称して「観察者」とする。）に提供される。被観察体に関してその歴史や特長などを音声によって解説されることは、観察者にとっては臨場感もあり、大変嬉しいものである。
【０００３】
具体例を挙げると、携帯型のレコーダーなどからイヤフォーンを挿し込んで聞くことは、有線によって音声情報が提供される態様の代表的な例である。また、無線による場合であっても、通常、観察者が持つ受信機に向けて、あるいは観察者が存在するであろうと予測される場所や領域に向けて、直接、音声情報を乗せた信号を発信する手段が採用されている（特許文献１）。
【０００４】
一方、夜間の建造物や屋外展示物、あるいは昼夜を問わず建造物内の暗所等の暗がりの中で建造物やその内部の所蔵品又は展示物などの物体を観察する場合には、そのような状況であっても観察が出来るように、光（可視光）を用いて被観察体を明るく照らす照明装置が用いられる。
【先行技術文献】
【特許文献】
【０００５】
【特許文献１】特開２００９−２６０８４２号公報
【考案の概要】
【考案が解決しようとする課題】
【０００６】
しかしながら、これまでの被観察体を案内するための音声情報の提供は、有線であれば当然のこと、たとえ無線であっても、上述の通り、観察者又は観察者の存在が予測される場所等に直接向けられた態様でなされてきた。換言すれば、そのような音声情報の提供は、被観察体それ自体とは独立した関係であり、技術的に直接的な関係を有するものではなかった。
【０００７】
また、従来の照明装置は、観察者が被観察体を視覚で鮮明に認識できるように照らすためにのみ用いられている。そして、観察者が被観察体を視認できるのは、照明装置からの光の反射光によるものであるが、この反射光を音声情報の提供媒体として利用するものではなかった。
【課題を解決するための手段】
【０００８】
本考案は、音声情報の提供と被観察体自身とを技術的に連携させることにより、被観察体の案内精度の向上に大きく貢献するものである。そして、特に被観察体に対して、スポットライト等の照明装置を用いて可視光で照射するときに、本考案は、音声情報の提供を観察者に与える視覚情報との技術的な連携を実現するものである。本考案者らは、観察者が被観察体を視覚で鮮明に認識できるように照らすために用いる照明装置にも適用が可能な、被観察体の反射光を利用した音声情報の提供［方法］が、博物館や神社仏閣等の被観察体が設置される様々な場所において極めて効果的であること着目し、本考案を創出した。
【０００９】
すなわち、本考案の１つの被観察体案内装置は、音声を第１電気信号に変換する音声電気変換装置と、その音声電気変換装置から出力されたその第１電気信号を重畳させた４００ｎｍ以上１０００ｎｍ以下の波長の電磁波を被観察体及び／又はその被観察体に対応した反射体に向けて照射する電磁波照射装置と、前述の被観察体及び／又は前述の反射体からの反射電磁波を受けて第２電気信号に変換する受信装置と、その第２電気信号を音声信号に変換する電気音声変換装置とを備えている。
【００１０】
この被観察体案内装置によれば、第１電気信号を重畳させた上述の比較的指向性の強い波長領域の電磁波が被観察体及び／又はその被観察体に対応した反射体に照射され、その反射電磁波が受信装置で受信されることによって音声信号に変換されるため、被観察体と音声信号とを技術的に連携させることが可能となる。その結果、被観察体に反射した電磁波を受けるときにのみ音声情報が提供されるため、案内精度の向上が図られる。
【００１１】
なお、上述の１つの被観察体案内装置において、第１信号を重畳させた電磁波の波長が可視光領域であれば、その電磁波は被観察体に対する照明機能をも発揮するものである。したがって、そのような場合には、その電磁波が、観察者に対し、暗がりの中での建造物や展示物等の物体の観察を可能にするとともに、音声情報の提供を実現することになる。
【００１２】
ここで、本考案において、「可視光領域」とは、４００ｎｍ〜８００ｎｍである。また、本考案において、「正面視」とは、上述の被観察体又は上述の反射体に正対した位置から見ることをいう。さらに、本考案では、超音波周波等の高周波をキャリアとして用いる場合は、所定の電気信号によりキャリアを「変調」するといい、電磁波を出力する電流に所定の電気信号で変調されたキャリア、または所定の電気信号そのものを加えて電磁波の出力を変化させる場合を信号を「重畳」するという。
【考案の効果】
【００１３】
本考案の被観察体案内装置によれば、第１電気信号を重畳させた上述の波長領域の電磁波が被観察体及び／又はその被観察体に対応した反射体に照射され、その反射電磁波が受信装置に受信されることによって音声信号に変換される。その結果、被観察体と音声信号とを技術的に連携させることが可能となるため、観察体の案内精度の向上が実現される。
【図面の簡単な説明】
【００１４】
【図１】本考案の第１の実施形態における被観察体案内装置を用いた案内の概要を説明する図である。
【図２】本考案の第１の実施形態における被観察体案内装置のブロック図である。
【図３】本考案の第１の実施形態の変形例における被観察体案内装置のブロック図である。
【図４】本考案の第２の実施形態における被観察体案内装置のブロック図である。
【図５】本考案の第３の実施形態における被観察体案内装置のブロック図である。
【考案を実施するための形態】
【００１５】
つぎに、本考案の実施形態を、添付する図面に基づいて詳細に述べる。尚、この説明に際し、全図にわたり、特に言及がない限り共通する部分には共通する参照符号が付されている。なお、図中、本実施形態の要素は必ずしも互いの縮尺を保って記載されるものではない。
【００１６】
＜第１の実施形態＞
図１は、本実施形態における被観察体案内装置１００を用いた案内の概要を説明する図である。また、図２は、本実施形態における被観察体案内装置１００のブロック図である。
【００１７】
本実施形態の被観察体案内装置（以下、略して「案内装置」ともいう。）１００は、図１及び図２に示すように、２つの構成に分類される。その１つは、所定の電磁波に音声情報を重畳させて被観察体３０である展示物に向けて照射する発信部１０であり、他の一つは、被観察体に反射した電磁波（以下、「反射電磁波」ともいう。）を受けて音声信号に変換する受信部２０である。
【００１８】
より具体的に見れば、発信部１０は、図２に示すように、展示物の説明情報等を提供する発声器や音声再生装置（プレーヤー）等の音声情報源１１と、音声電気変換装置１３と、電磁波照射装置１５とを備えている。ここで、音声電気変換装置１３は、前述の音声情報源１１からの音声を電気信号（第１電気信号）に変換する。また、電磁波照射装置１５は、音声電気変換装置１３から出力された第１電気信号を重畳部１５ａにおいて重畳させた特定波長の電磁波を、発光ダイオード（以下、ＬＥＤ）１５ｂを用いて被観察体３０に向けて照射する。なお、必要に応じて、図示しない増幅装置により、第１電気信号が増幅されることも好適な一態様である。
【００１９】
また、受信部２０は、被観察体３０からの反射電磁波を受光素子例えばフォトダイオードやフォトトランジスタ（以下、総称してＰＤとする）２１ａによって受け、電気信号（第２電気信号）に変換する変換部２１ｂを備えた受信装置２１と、第２電気信号を増幅する増幅装置２３と、第２電気信号を音声信号に変換する電気音声変換装置２５とを備えている。音声信号に変換された後、公知のイヤフォーン等の再生装置２７により音声として再生される。なお、増幅装置２３は第２電気信号の強さに応じて適宜省略され得る。
【００２０】
ここで、本実施形態では、上述の電磁波の波長は、赤外光である９４０ｎｍである。赤外光であり、工業的にも広く生産されている、８００ｎｍ超１０００ｎｍ以下を採用することにより、室内の人工照明の影響を回避して、かつ高い光電変換効率と指向性を維持した電磁波の照射が実現されるため、被観察体３０からの反射電磁波を受ける受信部２０を所持する観察者への案内精度が向上する。
【００２１】
なお、上述の電磁波が可視光領域であった場合、その電磁波は被観察体３０に対する照明機能をも発揮する。したがって、上述の電磁波として可視光領域の波長帯が採用されることは、その電磁波が、観察者に対し、暗がりの中での建造物や展示物等の物体の観察を可能にするとともに音声情報の提供をも実現することになるため、大変好ましい。加えて、電磁波として特定の可視光領域の波長（例えば、赤や緑や青、又はそれらの混合によって生じる白色）の光が採用されることも、被観察体３０に対する照明効果を高める１つの手法として採用され得る好ましい態様である。また、そのような実施形態では、照明効果をさらに高めるため、第１電気信号を重畳した可視光領域の波長以外に、無変調、すなわち第１電気信号を重畳していない波長の可視光を加えることにより、照明の色調を高度に制御することもできるという自由度が得られる。
【００２２】
また、本実施形態では、被観察体３０としての展示物の例は絵画や彫刻、あるいは仏像である。ここで、本実施形態では、発信部１０から照射される電磁波が、被観察体３０である展示物の正面視において、被観察体３０を中心に、左右に数十度（図１中のθ、代表的にはθは、０°以上４５°以下）の角度の範囲内から照射されている。これにより、例えば複数の展示物が存在し、展示物毎に異なる説明を行うための音声情報がある１つの選択された電磁波の波長によって提供される場合であっても、それぞれの展示物に対する説明が同時に受信されることによる混信の可能性を回避することができる。但し、展示物が仏像等の曲面立体物の場合は、入射する電磁波に対して様々な方向への反射があるため、上述の角度範囲を超えても、殆ど混信することなく音声情報が得られる場合がある。従って、本実施形態は、上述の角度範囲に限定されるものではない。
【００２３】
さらに、本実施形態では、被観察体３０に対する発信部１０からの電磁波の照射角度は、上述の角度範囲に限定されるものではない。上述の角度範囲を超えた場所からの照射であっても、被観察体３０の数や配置によって十分にかつ混信せずに受信部２０によって適切に受信され得る。
【００２４】
＜第１の実施形態の変形例（１）＞
図３は、本実施形態における被観察体案内装置１００のブロック図である。本実施形態では、発信部１０は、図３に示すように、電磁波照射装置１５は、音声電気変換装置１３から出力された第１電気信号を重畳させた特定波長の電磁波を、被観察体３０に接して、又は近接して設けられている反射体３１に向けて照射する。
【００２５】
本実施形態では、第１の実施形態の被観察体３０の代わりに、被観察体３０に対応した反射体３１が用いられている点以外は、第１の実施形態と同じである。したがって、第１の実施形態と重複する説明は省略され得る。
【００２６】
また、受信部２０は、反射体３１からの反射電磁波をＰＤによって受け、第１の実施形態と同様に第２電気信号に変換した後、電気音声変換装置２５によって音声信号に変換する。なお、本実施形態の反射体３１は、上述の特定波長の電磁波を反射するものであれば、特に材質は限定されない。例えば、被観察体３０の名称や簡単な説明を記した白色の紙や板などは、反射効率がよく、適当に乱反射もするので、観察者の立つ位置が広く許容される。また、鏡や金属板なども反射体３１として利用することができる。この場合は反射の効率は極めてよいが電磁波の反射される方向が限定されるため観察者の立つ位置が限定される。このように反射板は用途によって様々な材料が選択できる。
【００２７】
上述の通り、被観察体３０自身の反射を利用する代わりに、被観察体３０に対応した反射体３１の反射を利用することによっても、第１の実施形態の効果と同様の効果が奏される。特に、被観察体３０が複雑な又は特殊な立体形状を有していて電磁波の十分な反射が見込まれない場合には、本実施形態のような反射体３１が採用されることは好ましい一態様である。他方、反射体３１のみならず被観察体３０自身の反射電磁波をも利用する受信部２０が採用されてもよい。本実施形態では、被観察体３０には可視光の電磁波を照射し、被観察体３０に対応する反射板３１には赤外領域の電磁波を照射しているが、反射板３１にも第１電気信号が重畳された可視光を用いて反射板３１の照明を兼ねることも可能である。
【００２８】
＜第２の実施形態＞
図４は、本実施形態における被観察体案内装置２００のブロック図である。
【００２９】
本実施形態の案内装置２００は、第１の実施形態と同様に、発信部２１０と受信部２２０とを備える。
【００３０】
図４に示すように、本実施形態の発信部２１０は、被観察体３０である展示物の日本語による説明情報と英語による説明情報といった、異なる言語による音声情報源２１１ａ，２１１ｂからの音声を、それぞれに対応した２つの音声電気変換装置２１３ａ，２１３ｂによって２つの第１電気信号に変換する。次に、２つの音声電気変換装置２１３ａ，２１３ｂに対応した２つの電磁波照射装置２１５ａ，２１５ｂが、それぞれの第１電気信号を重畳させたそれぞれの特定波長の電磁波を、２種類のＬＥＤを用いて被観察体３０及び／又は被観察体３０に対応した反射体３１に向けて照射する。つまり、本実施形態では、それぞれの電磁波照射装置２１５ａ，２１５ｂが、上述の互いに異なる言語による音声情報の発信を担うことになる。換言すれば、本実施形態の発信部２１０は、２つの第１の実施形態の発信部１０の集合体ともいえる。
【００３１】
したがって、本実施形態は、発信部２１０を構成するそれぞれの電磁波照射装置２１５ａ，２１５ｂが、同じ場所から被観察体３０及び／又は反射体３１に向けて照射することに限定されない。すなわち、それぞれ異なる場所に配置された２つの電磁波照射装置２１５ａ，２１５ｂが、被観察体３０及び／又は反射体３１に向けて異なる場所から異なる向きに照射することも本実施形態に含まれる。なお、本実施形態では、１つの電磁波照射装置２１５ａの電磁波の波長は、例えば４７０ｎｍ（青色）であり、他方の電磁波照射装置２１５ｂの電磁波の波長は、例えば６２５ｎｍ（赤色）である。
【００３２】
一方、本実施形態の受信部２２０では、受信装置２２１が、被観察体３０及び／又は反射体３１からの反射電磁波をＰＤ２２１ａによって受けて、変換部２２１ｂに送る場合、特定の波長の電磁波のみを選択する，いわゆる色フィルター２２１ｃを用いて、例えば日本語による説明情報又は英語による説明情報のいずれか一方のみが選択され、変換部２２１ｂにおいて第２電気信号への変換が行われる。なお、本実施形態でも、日本語による説明情報と英語による説明情報とのいずれの情報が選択されるかは、観察者によって選択できるように、例えば、受信部２２０が備えるＰＤ２２１ａの前方に設けられた色フィルターの切り替えによって行われる。第２電気信号が増幅装置２２３によって増幅されると、第１の実施形態と同様に、電気音声変換装置２２５によって第２電気信号は音声信号に変換される。その後、公知の再生装置２２７により音声として再生される。
【００３３】
加えて、本実施形態においても、上述の電磁波の波長として、赤外光である７５０ｎｍ超１０００ｎｍ以下の波長が採用され得る。しかし、上述の電磁波が可視光領域（４００ｎｍ〜７５０ｎｍ）のＬＥＤからの光であった場合、その電磁波は被観察体３０に対する照明機能をも兼ねる。したがって、上述の電磁波として可視光が採用されることは、その電磁波が、観察者に対し、暗がりの中での建造物や展示物等の物体の観察を可能にするとともに音声情報の提供をも実現することになるため、大変好ましい。また、本実施形態においても、照明効果をさらに高めるため、第１電気信号を重畳した可視光領域の波長以外に、無変調光、すなわち第１電気信号を重畳していない波長の可視光領域の光を加えることにより、照明の色調を高度に制御することもできるという自由度が得られる。
【００３４】
上述の通り、２つの異なる音声情報に基づく第１電気信号を２つの特定波長の電磁波に重畳させることによって、観察者にとって有益な案内が実現される。そして、照射される電磁波が可視光領域の光であれば、その被観察体３０を照らすスポットライト等の照明装置によって音声情報を伝送するため、観察者は、その照明光が当たっている被観察体３０の前に立てば、被観察体３０からの反射光を利用して、被観察体３０に関する音声案内を聞くことができる。
【００３５】
なお、本実施形態でも、２つの異なる音声情報が選択可能に観察者に提供される態様が示しているが、音声情報の種類は２つに限定されない。例えば、３つ以上の異なる音声情報に基づく各第１電気信号を、それに対応する数の特定波長の電磁波に重畳させることも可能である。
【００３６】
また、本実施形態のように、電磁波として複数の波長を用い、それぞれに異なる音声情報に基づくそれぞれの第１電気信号を重畳させることにより、混信が防止される。したがって、例えば被観察体３０が複数存在し、それぞれの被観察体３０に対して異なる案内を行いたい場合には、混信を避けるために複数の異なる波長の電磁波を採用することが好ましい。特に、それらの複数の波長が可視光領域の波長である場合は、それぞれの可視光を発光するＬＥＤに対して異なる音声情報に基づくそれぞれの第１電気信号を重畳させることによって混信を防ぐのみならず、被観察体３０に対するカラフルな照明効果を演出することができる。他方、上述の通り、それらの第１電気信号が重畳された特定波長の可視光領域の電磁波に加えて、無変調、すなわち第１電気信号を重畳していない波長の可視光を加えることによって、被観察体３０のそれぞれに同じような任意色調の照明を当てることも可能である。
【００３７】
＜第３の実施形態＞
図５は、本実施形態における被観察体案内装置３００のブロック図である。
【００３８】
本実施形態の案内装置３００は、第１の実施形態と同様に、発信部３１０と受信部３２０とに分類される。
【００３９】
具体的には、本実施形態の発信部３１０は、第２の実施形態と同様に被観察体３０である展示物の日本語による説明情報と英語による説明情報といった、異なる言語による音声情報源３１１ａ，３１１ｂからの音声を２つの第１電気信号に変換する２つの音声電気変換装置３１３を備えている。さらに２つの変調部では、音声周波数より高い周波数領域の２つの異なる周波数の搬送波（以下キャリアという）がそれぞれに対応する２つの第１電気信号で変調され、この変調されたキャリアが重畳部で特定波長の電磁波に重畳され、電磁波照射装置３１５からＬＥＤ３１５ｂを用いて被観察体３０及び／又は被観察体３０に対応した反射体３１に向けて照射する。
【００４０】
また、受信部３２０では、受信装置３２１が、被観察体３０及び／又は反射体３１からの反射電磁波を受けるとき、ＰＤ３２１ａに入射して電気信号に変換された後、２つのキャリアを選択する周波数選択フィルター３２１ｃでどちらかのキャリアのみが選択される。その結果、第２の実施形態で示された特定の発色光の選択による場合と同様に、例えば、日本語による説明情報又は英語による説明情報のいずれか一方の信号のみが選択され、変換部３２１ｂにおいて第２電気信号への変換が行われる。なお、日本語による説明情報と英語による説明情報とのいずれの情報が選択されるかは、観察者によって選択できるように、例えば、ＰＤの後に設けられた周波数選択フィルターの切り替えスイッチによって行われる。第２電気信号が増幅装置３２３によって増幅されると、第１の実施形態と同様に、電気音声変換装置３２５によって第２電気信号は音声信号に変換される。その後、公知の再生装置３２７により音声として再生される。
【００４１】
加えて、本実施形態においては、上述の電磁波の波長として、赤外光である
８００ｎｍ超１０００ｎｍ以下の波長が採用され得る。しかし、上述の電磁波が可視光領域の波長であった場合、その電磁波は被観察体３０に対する照明機能をも発揮する。したがって、上述の電磁波として白色光の波長帯が採用されることは、その電磁波が、観察者に対し、暗がりの中での建造物や展示物等の物体の観察を可能にするとともに音声情報の提供をも実現することになるため、大変好ましい。加えて、電磁波として特定の可視光領域の波長（例えば、赤や緑や青）の光が採用されることも、被観察体３０に対する照明効果を高める１つの手法として採用され得る好ましい態様である。加えて、そのような実施形態では、第１の実施形態と同様に、照明効果をさらに高めるため、第１電気信号を重畳した可視光領域の波長以外に、無変調、すなわち第１電気信号を重畳していない波長の可視光を加えることにより、照明の色調を高度に制御することもできるという自由度が得られる。
【００４２】
上述の通り、２つの異なる音声情報に基づく第１電気信号で変調されたキャリアを電磁波（例えば、可視光や赤外光）に重畳させることによって、観察者にとって有益で選択可能な複数の案内が実現される。また、照射される電磁波が可視光領域の波長であれば、被観察体３０を照らすスポットライト本来の機能を発揮させるだけでなく、音声情報を伝送するための特定周波数のキャリアとこれに対応するフィルターが存在するため、背景光による雑音を除去でき、観察者は、より深く、かつ鮮明に音声案内を認識し、理解することができる。また、本実施形態では２つのキャリアは、それぞれ２つのＬＥＤから電磁波に重畳されて照射されるが、２つのキャリアを１個のＬＥＤから照射される電磁波に重畳することも可能である。他方、同じ周波数の電磁波でも別々のＬＥＤから照射すると、照射光の強度が増して観察者にとってより正確な情報が得られることは云うまでもない。
【００４３】
なお、本実施形態では、２つの異なる音声情報が選択可能に観察者に提供される態様が示されているが、音声情報の種類は２つに限定されない。例えば、３つ以上の異なる音声情報に基づく第１電気信号を１つの特定波長の電磁波に重畳させることも可能である。
【００４４】
＜その他の実施形態＞
ところで、上述の各実施形態では、被観察体３０として絵画、彫刻、又は仏像等の物体の展示物を例に挙げたが、既に述べた通り、被観察体は展示物に限定されない。建造物や仏像などの不動体、あるいは生物や自動車、ロボットなどの任意移動体も、上述の受信装置が受信できる反射電磁波が得られる限り被観察体となり得る。
【００４５】
また、上述の各実施形態では、受信部２０，２２０，３２０の一部にフォトダイオードが採用されているが、フォトダイオードの代わりに他の公知の光電変換素子（フォトトランジスタ、その他の各種の光センサー）が採用されても、上述の各実施形態の奏する効果と同等の効果が奏される。
【００４６】
また、図示しないが、ある態様の実施形態において、１つの特定波長の電磁波を生じさせるＬＥＤを用いる場合には、音声周波数より高い周波数でサンプリングしてデューティー比の小さなパルスに変換すると、パルス高さをほぼデューティー比に反比例した大きさにでき、前述のキャリアを用いた変調方式と同様に、受信部における電磁波の背景光に対するＳＮ比を改善することができる。
【００４７】
加えて、上述のいずれの実施形態の場合であっても、ＬＥＤを駆動する電流源が変調されたものであれば、そのＬＥＤの発光を妨げない。例えば、パルス幅変調、パルス振幅変調、あるいはパルスコード変調によるディジタル化など様々な変調方式がこれらの態様では、いずれの実施形態でも商用電源で作動された照明等の外乱光による混信を低減できる。
【００４８】
さらに、上述のいずれの実施形態の場合であっても、例えば、音声情報のみならず文字情報も伝送の対象となり得る。したがって、一例としては、上述の各受信部が公知の表示装置（図示しない）を備えており、その表示装置が文字情報を表示することも、採用されうる一態様である。以上、述べたとおり、各実施形態の他の組合せを含む本考案の技術思想の範囲内に存在する変形例もまた、実用新案登録請求の範囲に含まれるものである。
【産業上の利用可能性】
【００４９】
本考案の被観察体案内装置は、展示物等の案内の際の情報伝達手段として広く利用され得る。
【符号の説明】
【００５０】
１０，２１０，３１０    発信部
１１，２１１ａ，２１１ｂ，３１１ａ，３１１ｂ    音声情報源
１３，２１３ａ，２１３ｂ，３１３，    音声電気変換装置
１５，２１５ａ，２１５ｂ，３１５    電磁波照射装置
１５ａ      重畳部
１５ｂ      ＬＥＤ
２０，２２０，３２０    受信部
２１，２１１，３１１    受信装置
２１ａ，２２１ａ，３２１ａ      フォトダイオード（ＰＤ）
２１ｂ，２２１ｂ，３２１ｂ      変換部
２２１ｃ      色フィルター
２３，２１３，３１３    増幅装置
２５，２１５，３１５    電気音声変換装置
２７，２１７，３１７    再生装置
３０    被観察体
３１    反射体
３１１ｃ      周波数選択フィルター
１００，２００，３００  被観察体案内装置
【図１】
0003165942.tif 000003
【図２】
0003165942.tif 000004
【図３】
0003165942.tif 000005
【図４】
0003165942.tif 000006
【図５】
0003165942.tif 000007